(57)【要約】  一体型タッチセンサー基板、これを備える表示装置、および一体型タッチセンサー基板の製造方法を提供し、タッチパネルセンサーの前面板の額縁部に表示されるロゴマークを、簡単な構成で厚さを薄くし、金属色で表示することを実現する。タッチパネル付き表示装置に用いられる一体型タッチセンサー基板において、額縁部に設けた金属配線と、ロゴマークを表示する表示膜とを同一の工程により同一の金属で形成するようにした。また、ロゴマークを表示する領域にも金属配線を配置して、額縁部の限られたスペースを有効に使用して配線を設けることができるようにした。
2013035276.tif 000002
【特許請求の範囲】
【請求項１】
前面板とタッチパネルセンサーとの一体型タッチセンサー基板であって、
透明な前面板と、
前記前面板の裏面の周縁部に形成され、所定の形状の表示領域を区画する額縁層と、
前記額縁層の所定の位置を、所定の形状で抜いて形成されたマーク抜き部と、
前記額縁層の裏面側に形成された金属配線と、
前記マーク抜き部の裏面側に形成された金属膜層と、
前記表示領域に形成され、前記金属配線と結線されるセンサー層とを備え、
前記金属配線と前記金属膜層とが同一の金属で形成されていることを特徴とする、一体型タッチセンサー基板。
【請求項２】
前記金属配線の一部は、前記金属膜層の一部が、スリットにより分離されることにより、形成されることを特徴とする、請求項１に記載の一体型タッチセンサー基板。
【請求項３】
前記スリットの間隔は２５μｍ以下であることを特徴とする、請求項２に記載の一体型タッチセンサー基板。
【請求項４】
前記金属膜層の裏面に、前記スリットを覆う不透明層が形成されることを特徴とする、請求項２または３に記載の、一体型タッチセンサー基板。
【請求項５】
前記金属膜層の反射率が３０％以上であることを特徴とする、請求項１〜４のいずれかに記載の、一体型タッチセンサー基板。
【請求項６】
表示装置であって、
複数の画素が行列状に配列された画素領域を有し、入力信号に基づいて前記画素領域に画像を表示する表示パネルと、
前記画素領域を覆うように取り付けられる、請求項１〜５のいずれかに記載の一体型タッチセンサー基板とを備えることを特徴とする、表示装置。
【請求項７】
透明な前面板と、
前記前面板の裏面の周縁部に形成され、所定の形状の表示領域を区画する額縁層と、
前記額縁層の所定の位置を、所定の形状で抜いて形成されたマーク抜き部と、
前記額縁層の裏面側に形成された金属配線と、
前記マーク抜き部の裏面側に形成された金属膜層と、
前記表示領域に形成され、前記金属配線と結線されるセンサー層とを備える前面板とタッチパネルセンサーとの一体型タッチセンサー基板の製造方法であって、
前記前面板の裏面に前記マーク抜き部を備える前記額縁層を形成する工程と、
前記金属配線を形成する工程と、
前記金属膜層を形成する工程と、
前記センサー層を形成する工程とを備え、
前記金属配線を形成する工程と前記金属膜層を形成する工程とを、同一の金属材料を用いて同一工程で行うことを特徴とする、一体型タッチセンサー基板の製造方法。
【請求項８】
前記金属膜層を形成する工程において、前記金属膜層にスリットを設けて分離して形成することにより、当該金属膜層の少なくとも一部を前記金属配線の一部として形成することを特徴とする、請求項７に記載の一体型タッチセンサー基板の製造方法。
【請求項９】
前記金属膜層を形成する工程において、前記スリットの間隔を２５μｍ以下とすることを特徴とする、請求項８に記載の一体型タッチセンサー基板の製造方法。
【請求項１０】
前記金属膜層を形成する工程より後に、前記金属膜層の前記スリットを覆う不透明層を形成する工程をさらに含むことを特徴とする、請求項８または９に記載の一体型タッチセンサー基板の製造方法。
【請求項１１】
前記金属膜層を形成する工程において、前記金属膜層の材料として、反射率が３０％以上である材料を用いることを特徴とする、請求項７〜１０のいずれかに記載の一体型タッチセンサー基板の製造方法。
【発明の詳細な説明】
【技術分野】
【０００１】
本発明はタッチパネル付き表示装置に用いられる一体型タッチセンサー基板に関し、より詳細には周縁部にロゴマークが表示された一体型タッチセンサー基板に関する。
【背景技術】
【０００２】
近年、携帯電話や、携帯情報端末、カーナビゲーションシステムを始め、さまざまな電子機器の操作部にタッチパネルが採用されている。タッチパネルは、液晶パネルや有機ＥＬ（Ｅｌｅｃｔｒｏ-Ｌｕｍｉｎｅｓｅｎｃｅ）などの表示デバイスの表示画面上に、指などの接触位置を検出可能な位置入力装置を貼り合わせて構成される。タッチパネルの方式としては、抵抗膜式、静電容量式、光学式、超音波式に大別されるが、それぞれメリット／デメリットがあるため用途に応じて使い分けられている。静電容量式には、更に、表面型と投影型とがある。投影型静電容量式タッチパネルは、Ｘ方向及びＹ方向にグリッド上に配列された複数の電極を備え、マルチタッチが可能であり、現在急速に普及しつつある。【０００３】
投影型静電容量式タッチパネルセンサー基板は、一般的に５層構造、すなわち、金属配線、Ｘ方向用及びＹ方向用の２層の透明電極、２層の透明電極間の層間絶縁層、表面の保護層からなる。また、層間絶縁層を有機膜で形成することによってガラス基板の片面に２層の透明電極層を形成した片面構造と、ガラス基板を層間絶縁層としても使用し、２層の透明電極層をガラスの両面に分けて形成した両面構造の２つに大別される。（例えば、特許文献１参照）【０００４】
ここで、携帯電話機などのタッチパネル付きディスプレイには、最表面には前面板（カバーガラス）を設けた構造を採用することが一般的である。このカバーガラスには周辺部の配線などを隠すための遮光性の高い材料からなる額縁部が形成される。この額縁部には、機器のデザインに応じて様々な色や模様を施すことができる。額縁部に色や模様を施す場合、スクリーン印刷で額縁部を形成することが一般的である。ただし、額縁部に色々な色や模様を施すとコストアップに繋がるため、額縁部は黒色とするのが主流である。【０００５】
また、この黒色の額縁部を形成するときに使用するインキやレジストとしては、一般的には、遮光性の高い顔料であるカーボンやチタンを分散させた材料が使用される。カーボンやチタンを分散させた材料は比抵抗値が低く、誘電率も高い。また、カーボンを樹脂で被覆させることで、比抵抗値が１×１０１１Ω・ｃｍまで高抵抗化した材料も採用されている。【０００６】
ここで、このようなタッチパネル付きディスプレイでは、画面の周辺の部分に、ハウスマークやファミリーネーム、ペットネームと呼ばれる会社名や商品名、図案などをロゴマークとして表示することが多い。このようなロゴマークは、カバーガラスの裏面に印刷によって形成される。【０００７】
ロゴマークは、金属色（メタリック）や白色、あるいは所定の色によって表示される。ロゴマークの所定の形に抜いた形のマーク抜き部を所定の位置に備える額縁部を例えば黒色で前面板の裏面に形成し、次に、マーク抜き部の裏面側からスクリーン印刷等で所定の色で重ね塗りすることにより、この表示を形成する。（例えば、特許文献２参照）【０００８】
図３０に、従来の携帯電話などに使われるタッチパネル付きディスプレイのカバーガラスの一例を示す。図３０（ａ）、（ｂ）に示すように、カバーガラス１０２上には矩形枠状の額縁部１０３が形成され、額縁部１０３の内側が表示領域１１０となっている。額縁部１０３は遮光性材料により形成され、マーク抜き部１１３とカメラ用等の窓１１４を備えている。そして、マーク抜き部１１３に裏面側から所定の色のインクなどによる表示膜層１１２を塗り、ロゴマーク表示部１１１を形成していた。
【先行技術文献】
【特許文献】
【０００９】
【特許文献１】特開２０１０-１８２２７７号公報
【特許文献２】特開２０１０-２５６６８２号公報
【発明の概要】
【発明が解決しようとする課題】
【００１０】
しかしながら、図３０のようにしてロゴマーク表示部１１１を形成した場合には、額縁部１０３に表示膜部１１２を形成するためインク等を重ね塗りする必要があるので、工程数及び製造コストが増加してしまうという不都合があった。【００１１】
また、図３０（ａ）に示すように、表示膜部１１２が形成されると額縁部１０３の表面に対して段差１１２ａが生じる。この段差１１２ａにより、前面板が厚くなってしまうという不都合があった。
【課題を解決するための手段】
【００１２】
本発明の目的は、上記の不都合を解決するために、以下の構成を採用した。【００１３】
本発明は、前面板とタッチパネルセンサーとの一体型タッチセンサー基板に関する。そして、透明な前面板と、前面板の裏面の周縁部に形成され所定の形状の表示領域を区画する額縁層と、額縁層の所定の位置を所定の形状で抜いて形成されたマーク抜き部と、額縁層の裏面側に形成された金属配線と、マーク抜き部の裏面側に形成された金属膜層と、表示領域に形成され、金属配線と結線されるセンサー層とを備え、金属配線と金属膜層とが同一の金属で形成されていることを特徴とする。【００１４】
また、金属配線の一部は、金属膜層の一部が、スリットにより分離されることにより、形成されることを特徴とする。【００１５】
また、スリットの間隔は２５μｍ以下であることを特徴とする。【００１６】
また、金属膜層の裏面に、スリットを覆う不透明層が形成されることを特徴とする。【００１７】
また、金属膜層の反射率が３０％以上であることを特徴とする。【００１８】
また、表示装置であって、複数の画素が行列状に配列された画素領域を有し、入力信号に基づいて画素領域に画像を表示する表示パネルと、画素領域を覆うように取り付けられる一体型タッチセンサー基板とを備えることを特徴とする。【００１９】
また、透明な前面板と、前面板の裏面の周縁部に形成され、所定の形状の表示領域を区画する額縁層と、額縁層の所定の位置を所定の形状で抜いて形成されたマーク抜き部と、額縁層の裏面側に形成された金属配線と、マーク抜き部の裏面側に形成された金属膜層と、表示領域に形成され、金属配線と結線されるセンサー層とを備える前面板とタッチパネルセンサーとの一体型タッチセンサー基板の製造方法であって、前面板の裏面にマーク抜き部を備える額縁層を形成する工程と、金属配線を形成する工程と、金属膜層を形成する工程と、センサー層を形成する工程とを備え、金属配線を形成する工程と金属膜層を形成する工程とを、同一の金属材料を用いて同一工程で行うことを特徴とする。【００２０】
また、金属膜層を形成する工程において、金属膜層にスリットを設けて分離して形成することにより、当該金属膜層の少なくとも一部を金属配線の一部として形成することを特徴とする。【００２１】
また、金属膜層を形成する工程において、上記スリットの間隔を２５μｍ以下とすることを特徴とする。【００２２】
また、金属膜層を形成する工程より後に、金属膜層のスリットを覆う不透明層を形成する工程をさらに含むことを特徴とする。【００２３】
また、金属膜層を形成する工程において、金属膜層の材料として、反射率が３０％以上である材料を用いることを特徴とする。
【発明の効果】
【００２４】
本発明によれば、上述の特徴を有することから、以下の効果が得られる。【００２５】
すなわち、前面板とタッチパネルセンサーとの一体型タッチセンサー基板であって、透明な前面板と、前面板の裏面の周縁部に形成され所定の形状の表示領域を区画する額縁層と、額縁層の所定の位置を所定の形状で抜いて形成されたマーク抜き部と、額縁層の裏面側に形成された金属配線と、マーク抜き部の裏面側に形成された金属膜層と、表示領域に形成され、金属配線と結線されるセンサー層とを備え、金属配線と金属膜層とが同一の金属で形成されているので、別のインクでスクリーン印刷する場合と比較して、構成が簡単になり、薄い厚さで形成できる。また、金属色（メタリック）で意匠性に優れたロゴマーク表示をすることができる。【００２６】
また、金属配線の一部は、金属膜層の一部が、スリットにより分離されることにより、形成されるので、額縁部の限られた領域を有効に利用して金属配線を配置できる。【００２７】
また、スリットの間隔は２５μｍ以下であるので、スリットが目立たず、ロゴマークの意匠性を損なうことがない。【００２８】
また、金属膜層の裏面に、スリットを覆う不透明層が形成されるため、スリットにおける光の反射を抑制し、スリットをさらに目立たなくすることができる。【００２９】
また、金属膜層の反射率が３０％以上であるので、光沢性に優れたロゴマークを形成することができる。【００３０】
また、表示装置であって、複数の画素が行列状に配列された画素領域を有し、入力信号に基づいて画素領域に画像を表示する表示パネルと、画素領域を覆うように取り付けられる一体型タッチセンサー基板とを備えるので、別のインクでスクリーン印刷する場合と比較して、構成が簡単になり、薄い厚さで形成できる。また、金属色（メタリック）で意匠性に優れたロゴマーク表示をすることができる。【００３１】
また、透明な前面板と、前面板の裏面の周縁部に形成され、所定の形状の表示領域を区画する額縁層と、額縁層の所定の位置を所定の形状で抜いて形成されたマーク抜き部と、額縁層の裏面側に形成された金属配線と、マーク抜き部の裏面側に形成された金属膜層と、表示領域に形成され、金属配線と結線されるセンサー層とを備える前面板とタッチパネルセンサーとの一体型タッチセンサー基板の製造方法であって、前面板の裏面にマーク抜き部を備える額縁層を形成する工程と、金属配線を形成する工程と、金属膜層を形成する工程と、センサー層を形成する工程とを備え、金属配線を形成する工程と金属膜層を形成する工程とを、同一の金属材料を用いて同一工程で行うので、別のインクでスクリーン印刷する工程が不要となり、工程数及び製造コストを減少することができる。また、別のインクでスクリーン印刷する場合と比較して、構成が簡単になり、薄い厚さで形成することができる。【００３２】
そして、金属膜層を形成する工程において、金属膜層にスリットを設けて分離して形成することにより、金属膜層の少なくとも一部を金属配線の一部として形成することにより、額縁部の限られた領域を有効に利用して金属配線を配置できる。【００３３】
また、金属膜層を形成する工程において、上記スリットの間隔を２５μｍ以下とすることにより、スリットが目立たず、ロゴマークの意匠性を損なうことがない。【００３４】
また、金属膜層を形成する工程より後に、金属膜層のスリットを覆う不透明層を形成する工程をさらに含むことにより、スリットにおける光の反射を抑制し、スリットをさらに目立たなくすることができる。【００３５】
また、金属膜層を形成する工程において、金属膜層の材料として、反射率が３０％以上である材料を用いることにより、光沢性に優れたロゴマークを形成することができる。
【図面の簡単な説明】
【００３６】
【図１】図１は、本発明の第１の実施形態に係る一体型タッチセンサー基板を備える表示装置の一例を示す斜視図である。
【図２】図２は、第１の実施形態に係る一体型タッチセンサー基板を示す表面側から見た概略平面図である。
【図３】図３は、第１の実施形態に係る一体型タッチセンサー基板を示す裏面側から見た概略平面図である。
【図４】図４は、第１の実施形態に係る一体型タッチセンサー基板の要部構造を示す概略平面図である。
【図５】図５は、第１の実施形態に係る一体型タッチセンサー基板の構造を示す概略断面図である。
【図６】図６は、第１の実施形態に係る一体型タッチセンサー基板の構造を示す概略断面図である。
【図７】図７は、第１の実施形態に係る一体型タッチセンサー基板の要部の構造を示す概略断面図である。
【図８】図８は、第２の実施形態に係る一体型タッチセンサー基板を示す表面側から見た概略平面図である。
【図９】図９は、第２の実施形態に係る一体型タッチセンサー基板の要部構造を示す概略平面図である。
【図１０】図１０は、第２の実施形態に係る一体型タッチセンサー基板の要部の構造を示す概略断面図である。
【図１１】図１１は、第３の実施形態に係る一体型タッチセンサー基板を示す表面側から見た概略平面図である。
【図１２】図１２は、第３の実施形態に係る一体型タッチセンサー基板の要部構造を示す概略平面図である。
【図１３】図１３は、第３の実施形態に係る一体型タッチセンサー基板の要部の構造を示す概略断面図である。
【図１４】図１４は、第４の実施形態に係る一体型タッチセンサー基板の要部の構造を示す概略断面図である。
【図１５】図１５は、第５の実施形態に係る一体型タッチセンサー基板の要部構造を示す概略平面図である。
【図１６】図１６は、第５の実施形態に係る一体型タッチセンサー基板の要部の構造を示す概略断面図である。
【図１７】図１７は、本発明の実施例１に係る一体型タッチセンサー基板を示す概略図である。
【図１８】図１８は、本発明の実施例１に係る一体型タッチセンサー基板を示す概略図である。
【図１９】図１９は、本発明の実施例１に係る一体型タッチセンサー基板を示す概略図である。
【図２０】図２０は、本発明の実施例１に係る一体型タッチセンサー基板を示す概略図である。
【図２１】図２１は、本発明の実施例１に係る一体型タッチセンサー基板を示す概略図である。
【図２２】図２２は、本発明の実施例１に係る一体型タッチセンサー基板を示す概略図である。
【図２３】図２３は、本発明の実施例３に係る一体型タッチセンサー基板を示す概略図である。
【図２４】図２４は、本発明の実施例３に係る一体型タッチセンサー基板を示す概略図である。
【図２５】図２５は、本発明の実施例３に係る一体型タッチセンサー基板を示す概略図である。
【図２６】図２６は、本発明の実施例３に係る一体型タッチセンサー基板を示す概略図である。
【図２７】図２７は、本発明の実施例４に係る一体型タッチセンサー基板を示す概略図である。
【図２８】図２８は、本発明の実施例４に係る一体型タッチセンサー基板を示す概略図である。
【図２９】図２９は、本発明の実施例４に係る一体型タッチセンサー基板を示す概略図である。
【図３０】図３０は、従来の一体型タッチセンサー基板の前面板の構造を示す概略図である。
【発明を実施するための形態】
【００３７】
以下、図面を参照して、本発明の実施形態について、詳細に説明する。
【００３８】
（第１の実施形態）
図１乃至図７を参照して、本発明の第１の実施形態に係る一体型タッチセンサー基板について説明する。本実施形態に係る一体型タッチセンサー基板は、カバーガラスとタッチパネルセンサーとが一体に直接形成されている。また、金属配線を額縁部に設ける構成となっている。以後、指などが接触される面を表面、その反対面を裏面と呼ぶこととする。
【００３９】
図１は、本実施形態に係る一体型タッチセンサー基板１を備える表示装置の一例である携帯電話を示す斜視図である。図２は、本実施形態に係る一体型タッチセンサー基板１を表面側から見た平面図である。図３は、この一体型タッチセンサー基板１を裏面側から見た平面図である。図４は、図３に示した一体型タッチセンサー基板１の積層構造の詳細を示す平面図であって、図３の絶縁保護膜９の形成前の状態を示す。図５は、図３に示したＰ−Ｐ線矢視方向の断面図、図６は、図３に示したＱ−Ｑ線矢視方向の断面図、図７（ａ）は、図３に示したＲ−Ｒ線矢視方向の断面図であり、図７（ｂ）は、図７（ａ）のＡ部を示す拡大断面図である。
【００４０】
まず、図１を用いて、本実施形態に係る一体型タッチセンサー基板１を備える表示装置５０について説明する。この表示装置５０はスマートフォンと呼ばれる携帯電話であり、外筐を構成するケース５１を有している。ケース５１は扁平で上下（Ｙ方向）に長い矩形形状をしており、一方の主面の中央に一体型タッチセンサー基板１、下部に操作ボタン５２が配設されている。
【００４１】
図１に示すように、一体型タッチセンサー基板１は上下（Ｙ方向）に長い矩形形状をしており、周縁部には所定の幅の枠状の額縁部３を備えている。額縁部３で区画される内側の領域が表示領域１０である。額縁部３の下部にはロゴマークを表示するロゴマーク表示部１１、上部には窓１４が設けられている。窓１４の下方（ケース５１の内側）には、図示しないカメラまたは近接センサ等が設けられる。
【００４２】
図２は、図１に示した表示装置５０の一体型タッチセンサー基板１を表面側から見た平面図である。形状は簡略化されて示されている。ここで、このロゴマーク表示部１１の各文字の表示は、均一な金属色の面から構成される。
【００４３】
図３〜７を用いて一体型タッチセンサー基板１の構成を説明する。図３〜６では、図示を簡略化するために、Ｘ方向及びＹ方向のそれぞれに２ラインの電極パターンが模式的に示されているが、実際には、Ｘ方向及びＹ方向に更に多くの電極が設けられる。
【００４４】
一体型タッチセンサー基板１は、図示しない液晶パネルや有機ＥＬパネルなどの表示デバイスと組み合わせて用いられる位置入力装置である。一体型タッチセンサー基板１は、Ｘ方向に延びる複数の電極及びＹ方向に延びる複数の電極を有し、指が接触または近接した電極の静電容量変化を検出することによって、指の接触位置の座標を特定する。
【００４５】
具体的には、一体型タッチセンサー基板１は、カバーガラス２と、額縁部３と、複数のジャンパ配線４と、絶縁膜５と、金属配線６と、複数の透明電極７及び８と、絶縁保護膜９とを備える。
【００４６】
カバーガラス２は、一体型タッチセンサー基板１の最表面となる透明な前面板であり、使用者によってタッチされる部材である。本実施形態では、前面板としてカバーガラス２を使用した例を説明するが、ガラスに代えて、耐熱性透明樹脂材料を前面板として使用しても良い。また、ガラス表面に樹脂材料からなる透明板を貼ったりして、複数の層から形成してもよい。
【００４７】
額縁部３は、光を吸収し遮光する遮光性材料を用いてカバーガラス２の裏面上に形成される。額縁部３は、中央の窓部分に所定形状の表示領域１０を区画し、一体型タッチセンサー基板１の周縁部に設けられる配線を隠す役割を果たす。
【００４８】
額縁部３は、カバーガラス２の周縁部に表示領域１０を区画するよう枠状に形成されている。なお、額縁部３の平面形状は、本実施形態のような矩形環状に限定されず、ハート型、たまご型、丸型など、任意である。また、額縁部３の外周縁形状（外形）と内周縁形状（表示領域１０の形状）とは相似であっても良いし、非相似でも良い。
【００４９】
額縁部３は、可視光を吸収する顔料系レジストの光硬化物からなる。ここで、顔料系レジストとは、溶媒に溶解させた樹脂中に顔料を分散させたものをいい、顔料系レジストの光硬化物とは、当該顔料系レジストをフォトリソグラフィー法の露光処理を行うことによって硬化させたものをいう。
【００５０】
本実施形態では、顔料系レジストは、カーボンブラック及び酸化チタン以外の少なくとも２種類以上の顔料の混合物を含む疑似ブラックレジストである。例として、カラーフィルタの着色透明層を形成する際に用いられる顔料で、Ｃ．Ｉ．ピグメントレッド１ 、Ｃ．Ｉ．ピグメントレッド２ 、Ｃ．Ｉ．ピグメントレッド３ 、Ｃ．Ｉ．ピグメントレッド４ 、Ｃ．Ｉ．ピグメントレッド５ 、Ｃ．Ｉ．ピグメントレッド６ 、Ｃ．Ｉ．ピグメントレッド７ 、Ｃ．Ｉ．ピグメントレッド８ 、Ｃ．Ｉ．ピグメントレッド９ 、Ｃ．Ｉ．ピグメントレッド１ ０ 、Ｃ．Ｉ．ピグメントレッド１１ 、Ｃ．Ｉ．ピグメントレッド１ ２ 、Ｃ．Ｉ．ピグメントレッド１ ４ などに代表される赤色（ＲＥＤ）系顔料と、Ｃ．Ｉ．ピグメントブルー１ ５ 、Ｃ．Ｉ．ピグメントブルー１ ５ ： ３ 、Ｃ．Ｉ．ピグメントブルー１ ５ ： ４ 、Ｃ．Ｉ．ピグメントブルー１ ５ ： ６ 、Ｃ．Ｉ．ピグメントブルー６０などに代表される青色（ＢＬＵＥ）系顔料とを少なくとも混合することにより、擬似的に黒色としたものが挙げられる。
【００５１】
また、本実施形態では、赤色系顔料と青色系顔料とに加え、さらに黄色（ＹＥＬＬＯＷ）系顔料を加えてもよい。黄色系顔料は可視光の低波長領域、すなわち波長５００ｎｍ以下の光を吸収することが知られている（例えば、塩治孜著（昭和４０年、１９６５年）「印刷インキ教室」（日本印刷新聞社）Ｐ１７０〜１７３）。赤色系顔料と青色系顔料とに黄色系顔料を加えることにより、黄色系顔料が低波長可視光を吸収し、より黒色に近くすることができる。
【００５２】
ここで、顔料系レジストの光硬化物の誘電率は、好ましくは１０以下、より好ましくは５．０以下とする必要がある。静電容量結合方式のタッチパネルの応答性を確保するためである。また、誘電率を４．０以下とすると、顔料系レジストの静電容量の形成を抑えることができる。
【００５３】
また、本実施形態の額縁部３上には、金属配線６および透明電極７、８が形成されるため、電気的な絶縁性を確保する必要がある。すなわち、比抵抗値が１×１０８Ω・ｃｍでも不十分であり、顔料系レジストの光硬化物の比抵抗値は、１×１０９Ω・ｃｍ以上が好ましく、さらに１×１０１４Ω・ｃｍ以上が好ましい。顔料系レジストの光硬化物の比抵抗値が、１×１０９Ω・ｃｍ未満の場合、顔料系レジストの光硬化物である額縁上に形成された金属配線および透明電極配線が短絡（ショート）することとなり、一体型タッチセンサー基板が正常に動作しなくなるためである。
【００５４】
ジャンパ配線４は、導電性を有する材料を用いて形成され、表示領域１０内のカバーガラス２上に、表示領域１０の一辺と平行なＸ方向及びこれと直交するＹ方向に間欠的かつ行列状に配列されている。ジャンパ配線４は、Ｘ方向に整列する透明電極７を接続するためのものである。
【００５５】
複数の絶縁膜５は、ジャンパ配線４の各々に対応して設けられる。絶縁膜５の各々は、対応するジャンパ配線４と交差してＸ方向に延びるように形成され、Ｙ方向におけるジャンパ配線４の中央部と部分的に重なっている。絶縁膜５は、ジャンパ配線４と透明電極８との間の層間絶縁膜として機能する。ジャンパ配線４と透明電極７とのＹ方向の接続を可能とするため、絶縁膜５はジャンパ配線４の両端部とは重なっていない。
【００５６】
金属配線６は、額縁部３上に直接形成され、表示領域１０の周縁部に位置する透明電極７及び８に電気的に接続されている。本実施形態では、金属配線６は、Ｍｏ／Ａｌ／Ｍｏ（モリブデン／アルミニウム／モリブデン）の積層体からなるが、これ以外にＡｕ（金）やＡｇ（銀）、Ａｇ合金などによって形成されても良い。
【００５７】
金属配線６の構成材料は、これらに限らず、金属を含み低抵抗なものであれば好適に用いることができる。形成された金属配線６のシート抵抗値は、５．０Ω／□以下が好ましく、１．０Ω／□以下がより好ましく、０．５Ω／□以下がさらに好ましい。シート抵抗値は、例えば、４端子法によって測定することができる。
【００５８】
また、金属配線６と同一の構成材料が後述する表示膜層として利用される。構成材料が十分な金属光沢を呈するためには、材料の反射率は、３０％以上が好ましく、５０％以上がより好ましく、７０％以上がさらに好ましい。Ｍｏ／Ａｌ／ＭｏやＭｏを用いることで、３０％以上の反射率を実現することができる。Ａｇ−Ｐｄ−Ｃｕ（銀パラジウム銅）合金やＡｇ、Ａｌを用いることで、７０％以上の高反射率を実現することができる。反射率は、例えば、顕微分光測定機を用いて測定することができる。
【００５９】
透明電極７は、Ｘ座標を検出するためのものである。透明電極７は、電気伝導性と透明性とを有する材料を用いて、表示領域１０内のカバーガラス２上に形成されている。透明電極７は、Ｘ方向及びＹ方向に間欠的かつ行列状に配列され、Ｙ方向に隣接するジャンパ配線４に電気的に接続されている。透明電極７は、例えば、ＩＴＯ（Ｉｎｄｉｕｍ  Ｔｉｎ  Ｏｘｉｄｅ）によって形成される。
【００６０】
透明電極８は、Ｙ座標を検出するためのものである。本実施形態では、透明電極８は、透明電極７と同一材料を用いて、透明電極７と同一工程で形成される。透明電極８は、Ｘ方向に整列する透明電極７の各列間をＹ方向に延び、図５及び６に示すように、絶縁膜５上でジャンパ配線４と立体交差している。
【００６１】
絶縁保護膜９は、ジャンパ配線４と、金属配線６と、透明電極７及び８と、額縁部３とを覆うように、金属配線６の引き出し配線に当たる部分を除きカバーガラス２のほぼ全面に形成されている。絶縁保護膜９は、カバーガラス２上に形成された各構成要素を保護する保護膜として機能する。
【００６２】
なお、本実施形態に係る一体型タッチセンサー基板１においては、ジャンパ配線４と、絶縁膜５と、透明電極７及び８と、絶縁保護膜９とがセンサー層に相当する。
【００６３】
本実施形態で用いる顔料系レジストの光硬化物は、従来のカラーフィルタ用のブラックレジスト材料の光硬化物と比べて、誘電率が低く、かつ、比抵抗値が高いため、額縁部３の絶縁が不要となり、額縁部３上に直接センサー層や金属配線６を形成することができる。また、額縁部３を覆う絶縁膜が不要であることによって工程数が減少するので、コストダウン及び歩留まりの向上を実現できる。
【００６４】
また、本実施形態では額縁部３の材料をフォトリソグラフィー法の露光処理を行った。
スクリーン印刷で額縁部３を形成した場合には額縁部３の表面の凹凸が粗くなるが、フォトリソグラフィー法によって額縁部３を形成すると、額縁部３の表面が平滑になる。そこで、金属配線６を額縁部３上に直接、安定して形成することができる。
【００６５】
ここで、図４および図７（ａ）（ｂ）を用いて、本実施形態に係る一体型タッチセンサー基板１におけるロゴマーク表示部１１の形成について説明する。
図７（ｂ）に示すように、ロゴマークが表示されるロゴマーク表示部１１に位置する額縁部３には、ロゴマークの形に抜いたマーク抜き部１３が形成されている。すなわち、マーク抜き部１３は額縁部３に抜き文字状に形成された凹部であって、額縁部３をロゴマークの形にくり抜いた内壁と、ロゴマークの形をしたカバーガラス２の裏面からなる底部とを備える。
【００６６】
上述した通り、本実施形態では金属配線６を額縁部３上に直接形成している。この金属配線６と同一の金属を用いて、金属配線６を形成する同一の工程で、図４に示すように、マーク抜き部１３とその近傍の領域に金属膜からなる表示膜層１２を形成する。図７（ｂ）に示すように、マーク抜き部１３の内面には表示膜層１２が形成される。表側から見たときに額縁部１０３のロゴマーク表示部１１のロゴマークの各文字は、金属配線６と同一の金属色の均一な面により表示される。
【００６７】
金属配線６および表示膜層１２の膜厚は、５０ｎｍ以上１μｍ以下が好ましく、１００ｎｍ以上５００ｎｍ以下がより好ましい。５０ｎｍ以上とすることで、十分な導電性及び光沢を実現することができ、１μｍ以下とすることで、十分な導電性及び光沢と、膜厚の薄さとを両立することができる。
【００６８】
このように、ロゴマーク表示部１１の内面を、金属配線６を形成する金属膜と同一の膜で覆うことで、別のインクでスクリーン印刷する工程が不要となり、工程数及び製造コストを減少することができる。また、別のインクでスクリーン印刷する場合と比較して、構成が簡単になり、金属膜と同等の薄い厚さで形成することが可能となる。また、金属色（メタリック）で意匠性に優れたロゴマークを表示することができる。
【００６９】
なお、図４に示すように、表示膜層１２と連続して金属配線６が形成されていて、図示しない表示装置の電気回路に結線されている。このようにして、表示膜層１２をアース（接地）するようにしてもよい。金属膜からなる表示膜層１２に静電気が貯まることによるタッチパネルや表示装置の電気回路等に不具合が生ずることを防止したり、表示装置の不要輻射対策をしたりするためである。
【００７０】
（第２の実施形態）
図８乃至図１０を参照して、本発明の第２の実施形態に係る一体型タッチセンサー基板について説明する。第２の実施形態において、第１の実施形態と同じ部分は同一符号を付し、説明を省略し、異なった部分だけを説明する。
【００７１】
図８（ａ）は、本実施形態に係る一体型タッチセンサー基板１を表面側から見た平面図であり、図８（ｂ）は、図８（ａ）のＢ部を示す拡大断面図である。図９は、裏面側から見たときの一体型タッチセンサー基板１の積層構造の詳細を示す平面図であって、絶縁保護膜９の形成前の状態を示す（第１の実施形態の図４に相当する図面である）。図１０（ａ）は、図９に示したＳ−Ｓ線矢視方向の一体型タッチセンサー基板１の断面図であり、図１０（ｂ）は、図１０（ａ）のＣ部を示す拡大断面図である。
【００７２】
本実施形態に係る一体型タッチセンサー基板１は、表示膜層１２の金属膜を、金属配線６と同一の金属を用いて、同一工程で形成している点は第１の実施形態と同一であるが、金属配線６の一部が、表示膜層１２の少なくとも一部として利用される点が異なる。すなわち、本実施形態では、ロゴマーク表示部１１の各文字を表示する領域に金属配線６が配置されている。
【００７３】
図８（ａ）に示すように、本実施形態を表面側から見たとき、第１の実施形態とほぼ同様の構成となっているが、図８（ｂ）のＢ部拡大図に示すように、ロゴマーク表示部１１のロゴマークの各文字は、均一の面ではなくて、縦方向のスリット１５が形成された表示面により構成される。
【００７４】
図９および図１０に示すように、ロゴマーク表示部１１の裏面側の、マーク抜き部１３とその近傍の領域は、表示膜層１２と金属配線６とで覆われている。この領域の中央には幅広の表示膜層１２、その両脇に金属配線６、更にその両脇に幅の狭い表示膜層１２が形成され、それぞれの間にはスリット１５が設けられ互いにショート（短絡）しないように構成されている。言い換えれば、マーク抜き部１３近傍の金属膜層が、スリット１５により分離され、金属膜層の少なくとも一部が金属配線６として利用可能となる。また、スリット１５を表示膜層１２に等間隔に形成してもよい。こうすることで、スリット１５の間隔が広く、視認されやすい場合、表示膜層１２と金属配線６との間に設けられたスリット１５とこの等間隔のスリット１５とにより、等間隔に並んだ縦ストライプによる意匠を実現できる。
【００７５】
文字の大きさにもよるが、スリット１５を２５μｍ以下に形成することにより、人間の視覚では認識しにくくなる。例えば、スリット１５を１５μｍ以下、隣接するスリット１５の間のライン状の金属膜の幅を３０μｍ以上とすれば、細かなストライプのほぼ均質な面となる。
【００７６】
このようにロゴマーク表示部１１の表示面を同一の工程で同一の金属を用いて覆うので、工程数及び製造コストを減少し、簡単な構成で厚さが薄く、金属色（メタリック）で意匠性に優れたロゴマーク表示をすることが可能となる。また、ロゴマーク表示部１１の領域にもこの金属配線６を配置して、額縁部の限られたスペースを有効に使用して配線を設けることができる。
【００７７】
（第３の実施形態）
図１１乃至図１３を参照して、本発明の第３の実施形態に係る一体型タッチセンサー基板について説明する。第３の実施形態において、前述した実施形態と同じ部分は同一符号を付し、説明を省略し、異なった部分だけを説明する。
【００７８】
図１１（ａ）は、本実施形態に係る一体型タッチセンサー基板１を表面側から見た平面図であり、図１１（ｂ）は、図１１（ａ）のＤ部を示す拡大断面図である。図１２は、裏面側から見たときの一体型タッチセンサー基板１の積層構造の詳細を示す平面図であって、絶縁保護膜９の形成前の状態を示す（第１の実施形態の図４に相当する図面である）。図１３（ａ）は、図１２に示したＴ−Ｔ線矢視方向の一体型タッチセンサー基板１の断面図であり、図１３（ｂ）は、図１３（ａ）のＥ部を示す拡大断面図である。
【００７９】
本実施形態に係る一体型タッチセンサー基板１は、表示膜層１２の金属膜を、金属配線６と同一の金属を用いて、同一工程で形成している点と、ロゴマーク表示部１１の各文字を表示する領域の一部に、金属配線６が配置されている点は第２の実施形態と同一である。しかし、図１１（ｂ）に示すように、ロゴマーク表示部１１のロゴマークの各文字は、略等間隔に横方向のスリット１５が入った横ストライプ状の表示面により構成されている点が異なる。
【００８０】
図１２および図１３に示すように、ロゴマーク表示部１１の裏面側の、マーク抜き部１３内面とその近傍の領域には、横長に細長い形状をした表示膜層１２と金属配線６とから構成される。表示膜層１２と金属配線６との間には、互いにショート（短絡）しないようにスリット１５が設けられている。これらのスリット１５により、図１２に示すように略等間隔に並んだ横ストライプが構成される。
【００８１】
なお、図１２において、横長に細長い形状をした表示膜層１２と金属配線６とを一つ置きに配置したが、表示膜層１２を一つにまとめてもよい。
【００８２】
このようにロゴマーク表示部１１の表示面を同一の工程で同一の金属を用いて覆うので、工程数及び製造コストを減少し、簡単な構成で厚さが薄く、金属色（メタリック）で意匠性に優れたロゴマーク表示をすることが可能となる。また、ロゴマーク表示部１１の領域にもこの金属配線６を配置して、額縁部の限られたスペースを有効に使用して配線を設けることができる。
【００８３】
（第４の実施形態）
図１４を参照して、本発明の第４の実施形態に係る一体型タッチセンサー基板について説明する。第４の実施形態において、前述した実施形態と同じ部分は同一符号を付し、説明を省略し、異なった部分だけを説明する。
【００８４】
本実施形態に係る一体型タッチセンサー基板１は、第３の実施形態で説明した構成の一部を変更したものであり、表面側から見た平面図は、図１１（ａ）（ｂ）と同一である。また、裏面側から見たときの一体型タッチセンサー基板１の積層構造の詳細を示す平面図は、図１２と同一である。図１４（ａ）は、図１２に示したＴ−Ｔ線矢視方向の一体型タッチセンサー基板１の断面図であり、図１４（ｂ）は、図１４（ａ）のＦ部を示す拡大断面図である。
【００８５】
前述した実施形態では金属配線６を額縁部３上に直接形成しているが、額縁部３を構成する材料の比抵抗値が所定値より低く、または、スクリーン印刷で額縁部３を形成して表面の凹凸が粗い場合などの場合では、額縁部３の上に金属配線６を直接形成することは難しい。本実施形態においては、このような金属配線６を額縁部３上に直接形成できない場合においても、本発明の技術的思想が実施可能であることを以下に説明するものである。
【００８６】
図１４（ａ）に示すように、本実施形態に係る一体型タッチセンサー基板１においては、額縁部３の上にカバーガラス２の裏面全体を覆う絶縁層１６を形成する。このように構成することにより、例えば、額縁部３にカーボンブラックが多く含まれ比抵抗値が低く、金属配線６を額縁部３の上に直接形成できない場合でも、金属配線６は絶縁層１６の上に形成することができる。
【００８７】
本実施形態を表面側から見たとき、第３の実施形態と同様、ロゴマーク表示部１１のロゴマークの各文字は、横ストライプ状の表示面で形成される。ここで、図１４（ｂ）に示すように、この横ストライプ状の表示面は、第３の実施形態のようにマーク抜き部１３の内面に形成されたものではなく、絶縁層１６上に形成されていて、絶縁層１６を介して表示面が視認される。
【００８８】
このようにロゴマーク表示部１１の表示面を同一の工程で同一の金属を用いて覆うので、工程数及び製造コストを減少し、簡単な構成で厚さが薄く、金属色（メタリック）で意匠性に優れたロゴマーク表示をすることが可能となる。また、ロゴマーク表示部１１の領域にもこの金属配線６を配置して、額縁部の限られたスペースを有効に使用して配線を設けることができる。
【００８９】
（第５の実施形態）
図１５を参照して、本発明の第５の実施形態に係る一体型タッチセンサー基板について説明する。第５の実施形態において、前述した実施形態と同じ部分は同一符号を付し、説明を省略し、異なった部分だけを説明する。
【００９０】
本実施形態に係る一体型タッチセンサー基板１は、第２の実施形態で説明した構成の一部を変更したものであり、表面側から見た平面図は、図８（ａ）（ｂ）と同一である。裏面側から見たときの一体型タッチセンサー基板１の積層構造の詳細を示す平面図を、図１５に示す。図１６（ａ）、（ｂ）は、それぞれ図１５に示したＵ−Ｕ線およびＶ−Ｖ線の矢視方向の一体型タッチセンサー基板１の断面図である。
【００９１】
本実施形態では、額縁層３がカーボンブラックレジストで形成されている。そのため、絶縁層１６が額縁部３を覆って形成されることにより、額縁部３を絶縁している。しかし、絶縁層１６がカバーガラス２の額縁部３が形成された領域より内側には形成されていない点で第４の実施形態と異なる。また、絶縁層１６は、絶縁膜５と同一の材料を用いて、絶縁膜５の形成と同一工程で形成される。これにより、絶縁層１６の材料の減量と省工程とを図ることができる。
【００９２】
図１６（ａ）（ｂ）に示すように、本実施形態に係る一体型タッチセンサー基板１においては、金属配線６および表示膜層１２の形成後、金属配線６および表示膜層１２の少なくともスリット１５が形成された領域の裏面側に不透明層１７を形成する。不透明層１７がスリット１５に入射した光を吸収または散乱するため、スリット１５による光の反射をより目立たなくし、ロゴマークの意匠性を向上させることができる。不透明層１７は、顔料等を用いてスリット１５をより目立たなくするために好適な色を、黒色あるいはその他の色から適宜選択して形成すればよい。不透明層１７は、フォトリソグラフィー法等の従来知られた印刷方法で形成することができ、インクジェット方式、ディスペンサ方式等によっても形成することができる。
【００９３】
図１６では、不透明層１７を表示膜層１２上に直接形成する例を示したが、不透明層１７は、絶縁保護膜９の上に形成してもよい。
【００９４】
また、不透明層１７は、スリット１５を覆っていればよく、図１６のように、ロゴマーク領域全体に設けてもよく、スリット領域及びその近傍のみ設けてもよく、スリット領域のみに設けてもよい。
【００９５】
なお、第２、第４の実施形態において、スリット１５を覆うように金属配線６および表示膜層１２に不透明層１７を形成してもよい。また、第１、第２、第４の実施形態において、額縁層３をカーボンブラックレジストで形成し、額縁部３を覆うように絶縁層１６を形成して絶縁してもよい。
【実施例】
【００９６】
本発明を更に詳しく説明するために以下に実施例を上げるが、本発明はこれらの実施例のみに限定されるものではない。【００９７】
（実施例１）
この実施例では、前述の第２の実施形態で説明したものと同様の構成の一体型タッチセンサー基板１の製造方法について、詳説する。【００９８】
図１７〜２２は、本実施例に係る一体型タッチセンサー基板１の製造工程を示す図である。図１７〜２２において、（ａ）は断面図であり、（ｂ）は平面図である。また、図１７〜２２の（ｂ）に示す二点鎖線は、（ａ）の断面図の切断位置を表す。【００９９】
<１．額縁部３の形成>
まず、カバーガラス２の裏面の上に、後述する顔料系レジストを、スピンコートにより塗布した。
次に、減圧乾燥機にて溶剤分を除去したのち、プロキシミティー露光方式（超高圧水銀ランプ）にて露光した。ここで、露光用フォトマスクとしてはソーダガラスにＣｒ（クロム）でパターンを施したものを用いた。
次に、アルカリ性現像液にて現像し、熱処理を行い、図１７に示す所定のロゴマークの形をしたマーク抜き部１３を備えた額縁部３を形成した。【０１００】
<２．ジャンパ配線４の形成>
まず、図１７に示す形成物の上に、ＤＣマグネトロンスパッタ方式にて、加熱しながらスパッタする加熱スパッタによってＩＴＯ膜を形成した。
次に、一般的なノボラック系ポジレジストをスピンコートし、プレベーク後、露光したのち、アルカリ性現像液にてポジ現像を行った。ここで、露光はプロキシミティー露光方式（超高圧水銀ランプ）を使用し、露光用フォトマスクとしてはソーダガラスにＣｒでパターンを施したものを用いた。
そして、シュウ酸（（ＣＯＯＨ）２）を主成分としたエッチング液を用いてエッチングし、ポジレジストを全面露光したのち、アルカリ性剥離液にてポジレジストを剥離して、図１８に示すように、ＩＴＯ膜によるジャンパ配線４を形成した。【０１０１】
<３．絶縁膜５の形成>
まず、図１８に示す形成物の上に、アクリル系絶縁材料をスピンコートにより塗布した。
次に、プレベークして溶剤分を除去し、プロキシミティー露光方式（超高圧水銀ランプ）にて露光した。ここで、露光用フォトマスクとしてはクオーツガラスにＣｒでパターンを施したものを用いた。
次に、アルカリ性現像液にて現像し、熱処理を行った。
このようにして、図１９に示すように、ジャンパ配線４上の絶縁膜５を形成した。【０１０２】
<４．金属配線６および表示膜層１２の形成>
まず、図１９に示す形成物の上に、ＤＣマグネトロンスパッタ方式にて、真空中でＭｏの層、Ａｌの層、Ｍｏの層を順次形成し、３層積層構造のＭｏ／Ａｌ／Ｍｏ積層体を形成した。
次に、一般的なノボラック系ポジレジストをスピンコートし、プレベークして、その後、露光したのち、アルカリ性現像液にてポジ現像を行った。ここで、露光はプロキシミティー露光方式（超高圧水銀ランプ）を使用し、露光用フォトマスクとしてはソーダガラスにＣｒでパターンを施したものを用いた。
そして、燐酸・硝酸・酢酸の３成分系のエッチャント（エッチング液）にてエッチングし、ポジレジストを全面露光したのち、アルカリ性剥離液にてポジレジストを剥離した。
このようにして、図２０に示すように、額縁部３上に金属配線６および表示膜層１２を形成した。
ここで、表示膜層１２とその両脇の金属配線６によるＭｏ／Ａｌ／Ｍｏ積層体の膜により、マーク抜き部１３の内面は覆われる。本実施例では、表示膜層１２および金属配線６を構成するＭｏ／Ａｌ／Ｍｏ積層体の厚さを、それぞれ、５０ｎｍ、２００ｎｍ、５０ｎｍとし、表示膜層１２および金属配線６のシート抵抗値を０．２Ω／□、反射率を４０％とした。またスリット１５の幅を１５μｍとした。【０１０３】
<５．透明電極７および８の形成>
まず、図２０に示す形成物の上に、ＤＣマグネトロンスパッタ方式にて、加熱しながらスパッタする加熱スパッタによってＩＴＯ膜を形成した。
次に、一般的なノボラック系ポジレジストをスピンコートし、プレベーク後、露光したのち、アルカリ性現像液にてポジ現像を行った。ここで、露光はプロキシミティー露光方式（超高圧水銀ランプ）を使用し、露光用フォトマスクとしてはソーダガラスにＣｒでパターンを施したものを用いた。
そして、シュウ酸を主成分とするエッチング液を用いてエッチングし、ポジレジストを全面露光したのち、アルカリ性剥離液にてポジレジストを剥離した。
このようにして、図２１に示すように、ＩＴＯ膜により透明電極７、８を形成した。【０１０４】
<６．絶縁保護膜９の形成>
まず、図２１に示す形成物の上に、アクリル系オーバーコート材料をスピンコートにより塗布した。
次に、プレベークして溶剤分を除去し、プロキシミティー露光方式（超高圧水銀ランプ）を使用し露光した。ここで、露光用フォトマスクとしてはクオーツガラスにＣｒでパターンを施したものを用いた。
次に、アルカリ性現像液にて現像し、熱処理を行った。
このようにして、図２２に示すように、絶縁保護膜９を形成して、一体型タッチセンサー基板１を製造し完成させた。【０１０５】
<７．顔料系レジストについて>
以上の実施例で使用した顔料系レジストは、溶媒に溶解させた樹脂中に２種の顔料を分散させ、擬似的に黒色を実現した疑似ブラックレジストである。２種の顔料としては、ピグメントレッド（ＰＲ２５４）とピグメントブルー（ＰＢ１５：３）とを１：１の比率で混合したものを用いた。また、固形物中の顔料比率は４０パーセントである。この材料を用いて３μｍの厚さに額縁部３を形成した。このように形成した額縁部３の比抵抗値は１×１０１４Ω・ｃｍ以上となり、誘電率は４．０以下となった。【０１０６】
また、本実施例１の一体型タッチセンサー基板のロゴマーク表示部１１において、スリット１５は視認されず、金属配線６および表示膜層１２は、十分な金属光沢を呈するものであった。【０１０７】
（実施例２）
この実施例は、実施例１において、表示膜層１２および金属配線６を、Ａｇ−Ｐｄ−Ｃｕ合金で厚さ２００ｎｍとし、スリット１５の幅を２５μｍとし、シート抵抗値を、０．１Ω／□、反射率を９５％としたものである。これにより、実施例１に比べ、金属配線６および表示膜層１２の導電性および金属光沢性を、より向上した。また、本実施例２の一体型タッチセンサー基板１のロゴマーク表示部１１においても、スリット１５は視認されなかった。【０１０８】
（実施例３）
この実施例では、前述の第１の実施形態において、額縁層３をカーボンブラックレジストで形成し、額縁部３を覆うように絶縁層１６を形成した一体型タッチセンサー基板１の製造方法について、詳説する。【０１０９】
図２３〜２６は、本実施例に係る一体型タッチセンサー基板１の製造工程を示す図である。図２３〜２６において、（ａ）は断面図であり、（ｂ）は平面図である。また、図２３〜２６の（ｂ）に示す二点鎖線は、（ａ）の断面図の切断位置を表す。また、実施例１で参照した図面を、本実施例においても適宜参照する。【０１１０】
<１．額縁部３の形成>
まず、カバーガラス２の裏面の上に、カーボンブラックレジストを用いて、図１７と同様の位置に厚さ１．２μｍの額縁部３を形成した。【０１１１】
<２．ジャンパ配線４の形成>
実施例１と同様の方法で、図１８に示すのと同様にジャンパ配線４を形成した。【０１１２】
<３．絶縁膜５および絶縁層１６の形成>
図１８に示す形成物の上に、実施例１と同様にジャンパ配線４上の絶縁膜５を形成すると同時に、絶縁膜５を形成するのと同一の材料、方法で、絶縁層１６を形成し、図２３に示す形成物を得た。【０１１３】
<４．金属配線６および表示膜層１２の形成>
図２３に示す形成物の上に、実施例１と同様の方法で、図２４に示すように、額縁部３上に金属配線６および表示膜層１２を形成した。【０１１４】
<５．透明電極７および８の形成>
図２４に示す形成物の上に、実施例１と同様の方法で、図２５に示すように、ＩＴＯ膜により透明電極７、８を形成した。【０１１５】
<６．絶縁保護膜９の形成>
図２５に示す形成物の上に、実施例１と同様に、図２６に示すように、絶縁保護膜９を形成して、一体型タッチセンサー基板１を製造し完成させた。【０１１６】
本実施例３の一体型タッチセンサー基板１のロゴマーク表示部１１においても、実施例１と同様に、表示膜層１２は、十分な金属光沢を呈するものであった。【０１１７】
（実施例４）
この実施例では、前述の第５の実施形態で説明したものと同様の構成の一体型タッチセンサー基板１の製造方法について、詳説する。【０１１８】
図２７〜２９は、本実施例に係る一体型タッチセンサー基板１の製造工程を示す図である。図２７〜２９において、（ａ）は断面図であり、（ｂ）は平面図である。また、図２７〜２９の（ｂ）に示す二点鎖線は、（ａ）の断面図の切断位置を表す。【０１１９】
額縁部３の形成、ジャンパ配線４の形成、絶縁膜５および絶縁層１６の形成、透明電極７および８の形成は、実施例３の１．〜３．および５．と同様であるので説明を省略する。金属配線６および表示膜層１２の形成は、実施例２と同様であるので説明を省略する。ただし、スリット１５の幅を３０μｍとした点で実施例２と異なる。【０１２０】
〈不透明層の形成〉
図２７に透明電極７および８の形成まで行った形成物を示す。この形成物において、額縁部３と同様の材料でスリット１５を覆うようにインクジェット方式で不透明層１７を形成し、図２８に示す形成物を得た。【０１２１】
図２８に示す形成物の上に、実施例１と同様の方法で絶縁保護膜９を形成し、図２９に示す一体型タッチセンサー基板１を製造し完成させた。【０１２２】
本実施例では、スリット１５の幅が、実施例３より大きいが、不透明層１７によって、スリット１５がカバーガラス２の反対側から覆われているため、スリット１５を目立たなくすることができる。なお、不透明層１７の形成は、金属配線６および表示膜層１２の形成後、透明電極７および８の形成の前に行ってもよい。また、不透明層１７は、絶縁保護膜９の形成後、絶縁保護膜９上に形成してもよい。【０１２３】
以上、本発明の実施形態、実施例を説明したが、本発明の一体型タッチセンサー基板は、その細部が上述した実施形態、実施例に限定されず、種々の変形が可能である。上述の実施形態では、表示装置として携帯電話を用いて説明したが、これらに限定されるわけではない。例えば、携帯情報端末、カーナビゲーションシステム、コンピュータ・ディスプレイ、またはタブレットテレビ、据え置きテレビ等の液晶テレビ、電子黒板など、周縁部にロゴマークが表示された表示装置にも応用することができる。すなわち一体型タッチセンサー基板のサイズは特に限定されない。またロゴマークおよびロゴマークを構成する金属配線、表示膜の大きさも、額縁部に収まる範囲であれば特に限定されない。またロゴマークの文字数についても限定されない。また、額縁部は、黒色に限らず、例えば表示装置のデザインに合わせ、白、赤、青、黄等の好適な色の材料を適宜選択して形成することができる。【０１２４】
また、上述した実施形態では、一体型タッチセンサー基板として投影型静電容量式タッチパネルを用いて説明したが、静電容量式に限定されるわけではなく、額縁部を有する種々の方式のタッチパネルに応用することができる。
【産業上の利用可能性】
【０１２５】
本発明は、携帯電話機や、携帯情報端末などの電子機器用の位置入力装置として利用することができる。
【符号の説明】
【０１２６】
１    一体型タッチセンサー基板
２、１０２    カバーガラス
３、１０３    額縁部
４    ジャンパ配線
５    絶縁膜
６    金属配線
７、８    透明電極
９    絶縁保護膜
１０、１１０    表示領域
１１、１１１    ロゴマーク表示部
１２、１１２    表示膜層
１３、１１３    マーク抜き部
１４、１１４    窓
１５    スリット
１６    絶縁層
１７    不透明層
５０    表示装置
５１    ケース
５２    操作ボタン
【図１】
2013035276.tif 000003
【図２】
2013035276.tif 000004
【図３】
2013035276.tif 000005
【図４】
2013035276.tif 000006
【図５】
2013035276.tif 000007
【図６】
2013035276.tif 000008
【図７】
2013035276.tif 000009
【図８】
2013035276.tif 000010
【図９】
2013035276.tif 000011
【図１０】
2013035276.tif 000012
【図１１】
2013035276.tif 000013
【図１２】
2013035276.tif 000014
【図１３】
2013035276.tif 000015
【図１４】
2013035276.tif 000016
【図１５】
2013035276.tif 000017
【図１６】
2013035276.tif 000018
【図１７】
2013035276.tif 000019
【図１８】
2013035276.tif 000020
【図１９】
2013035276.tif 000021
【図２０】
2013035276.tif 000022
【図２１】
2013035276.tif 000023
【図２２】
2013035276.tif 000024
【図２３】
2013035276.tif 000025
【図２４】
2013035276.tif 000026
【図２５】
2013035276.tif 000027
【図２６】
2013035276.tif 000028
【図２７】
2013035276.tif 000029
【図２８】
2013035276.tif 000030
【図２９】
2013035276.tif 000031
【図３０】
2013035276.tif 000032
【国際調査報告】
2013035276.tif 000033
2013035276.tif 000034